(57)【要約】【課題】タンクへの冷却水収容時に冷却水の水量が規定の水量となるように簡単に調整できるようにする。【解決手段】加熱手段３を有し内釜２が着脱自在に収容される本体５と、本体にヒンジ６結合されて内釜の上部開口を開閉自在に閉塞する蓋体７と、冷却水を貯留し本体に着脱自在に設置されるタンク４と、内釜とタンクとの間に介在して調理中に内釜内の被加熱物から発生する蒸気をタンク内に導いて冷却水中に放散させ復水させる蒸気導管９とを備え、タンク４を透光性部材で構成し、かつその規定量の冷却水が入っている状態で斜めに傾けて水面が排水部にかかったときの水位となる位置に、水量調整用の目盛り１０を設ける。【選択図】図１
2010035992.tif 000002
【特許請求の範囲】
【請求項１】
加熱手段を有し内釜が着脱自在に収容される本体と、
前記本体にヒンジ結合されて前記内釜の上部開口を開閉自在に閉塞する蓋体と、
冷却水を貯留し前記本体に着脱自在に設置されるタンクと、
前記内釜と前記タンクとの間に介在して調理中に前記内釜内の被加熱物から発生する蒸気を前記タンク内に導いて冷却水中に放散させ復水させる蒸気導管とを備え、
前記タンクを透光性部材で構成し、かつその規定量の冷却水が入っている状態で斜めに傾けて水面が排水部にかかったときの水位となる位置に、水量調整用の目盛りを設けたことを特徴とする炊飯器。
【請求項２】
加熱手段を有し内釜が着脱自在に収容される本体と、
前記本体にヒンジ結合されて前記内釜の上部開口を開閉自在に閉塞する蓋体と、
冷却水を貯留し前記本体に着脱自在に設置されるタンクと、
前記内釜と前記タンクとの間に介在して調理中に前記内釜内の被加熱物から発生する蒸気を前記タンク内に導いて冷却水中に放散させ復水させる蒸気導管とを備え、
前記タンクの容量を、お米の計量カップの整数倍に設定したことを特徴とする炊飯器。
【請求項３】
加熱手段を有し内釜が着脱自在に収容される本体と、
前記本体にヒンジ結合されて前記内釜の上部開口を開閉自在に閉塞する蓋体と、
冷却水を貯留し前記本体に着脱自在に設置されるタンクと、
前記内釜と前記タンクとの間に介在して調理中に前記内釜内の被加熱物から発生する蒸気を前記タンク内に導いて冷却水中に放散させ復水させる蒸気導管とを備え、
前記タンクを、規定の容量を有する第１のタンクと、該第１のタンクを収納可能な第２のタンクとで構成したことを特徴とする炊飯器。
【請求項４】
加熱手段を有し内釜が着脱自在に収容される本体と、
前記本体にヒンジ結合されて前記内釜の上部開口を開閉自在に閉塞する蓋体と、
冷却水を貯留し前記本体に着脱自在に設置されるタンクと、
前記内釜と前記タンクとの間に介在して調理中に前記内釜内の被加熱物から発生する蒸気を前記タンク内に導いて冷却水中に放散させ復水させる蒸気導管とを備え、
前記タンクにその上部開口を覆うタンク蓋を設け、該タンク蓋に冷却水の注ぎ穴を設けるとともに、該タンクに水平状態下で前面より視認可能な水位検知用の目盛りを設けたことを特徴とする炊飯器。
【発明の詳細な説明】
【技術分野】
【０００１】
本発明は、被加熱物（米や水等）を収容した内釜を加熱することで調理を行なう炊飯器、特に調理中に被加熱物から発生する蒸気を冷却して復水する機能を持つ炊飯器に関する。
【背景技術】
【０００２】
従来より、内釜内に収容した被加熱物から調理中に発生する蒸気を、冷却水を収容した容器（タンク）内に導いて冷却水中に放散させることで復水するようにした炊飯器は知られている（例えば、特許文献１参照）。
【０００３】
【特許文献１】特開平１０−１９２１３４号公報（第１図）
【発明の開示】
【発明が解決しようとする課題】
【０００４】
このようなものにおいて、タンクは、炊飯前に冷却水（水道水）が決められた水量収容され、炊飯器にセットされる。しかしながら、タンクに冷却水を入れる際、タンクに記載（刻印、印刷等）されている目盛りまで、水を直接水道の蛇口から入れていたため、タンクの目盛りに水量を合わせることが非常に困難であった。また、目盛りの許容範囲は非常に狭いことが更に設定を困難にさせていた。
【０００５】
本発明の技術的課題は、タンクへの冷却水収容時に冷却水の水量が規定の水量となるように簡単に調整できるようにすることにある。
【課題を解決するための手段】
【０００６】
本発明に係る炊飯器は、加熱手段を有し内釜が着脱自在に収容される本体と、本体にヒンジ結合されて内釜の上部開口を開閉自在に閉塞する蓋体と、冷却水を貯留し本体に着脱自在に設置されるタンクと、内釜とタンクとの間に介在して調理中に内釜内の被加熱物から発生する蒸気をタンク内に導いて冷却水中に放散させ復水させる蒸気導管とを備え、タンクを透光性部材で構成し、かつその規定量の冷却水が入っている状態で斜めに傾けて水面が排水部にかかったときの水位となる位置に、水量調整用の目盛りを設けたものである。
【発明の効果】
【０００７】
本発明の炊飯器によれば、水位目盛りを、規定量の冷却水が入っている状態で斜めに傾けて水面が排水部にかかったときの水位となる位置に設けたので、予めタンク内に多めに水を入れ、タンクを傾けて冷却水を捨てながら、水位を目盛りに合わせることができるので、水量の調整が非常に簡単になり、使い勝手が向上する。
【発明を実施するための最良の形態】
【０００８】
実施形態１．
以下、図示実施形態により本発明を説明する。
図１は本発明の実施形態１に係る炊飯器のタンクに設けられた水量調整用の目盛りを説明するために当該タンクを傾けた状態で示す正面図、図２はそのタンクの分解斜視図、図３はそのタンクの組立体を示す斜視図、図４はそのタンクの縦断面図、図５は炊飯器の全体構成を示す縦断面図、図６はその炊飯器蓋体を開けた状態を示す斜視図、図７は本実施形態１に係る炊飯器蓋体を開けさらにタンクを取り外した状態を示す分解斜視図、図８はそのタンクの他の例を示す斜視図、図９は図８のタンクの水量調整用の目盛りを説明するために当該タンクを傾けた状態で示す正面図である。
【０００９】
本実施形態の炊飯器１は、被加熱物（米や水等）を入れた内釜２を誘導加熱コイル等の加熱手段３で加熱することで被加熱物を炊きあげ、このとき発生する蒸気を冷却水を貯留したタンク４で冷却して復水（回収）するものである。
【００１０】
これを更に詳述すると、炊飯器１は、図５乃至図７のように加熱手段３を有し内釜２が着脱自在に収容される本体５と、本体５の後部にヒンジ６により結合されて内釜２の上部開口を開閉自在に閉塞する蓋体７と、冷却水を貯留し本体５の前部に配置されて底板８に着脱自在に載置されるタンク４と、内釜２とタンク４との間に介在して調理中に内釜２内の被加熱物から発生する蒸気をタンク４内に導いて冷却水中に放散させ復水させる蒸気導管９とを有している。そして、本体５の底板８が、非磁性体金属で構成された補強板１１により補強されている。なお、内釜２の内周面の対向する２ヶ所には、一般に水位目盛り（図示せず）が設けられる。
【００１１】
本体５の下面の四隅にはそれぞれ脚１２が設けられており、そのうち前辺側に位置する一対の脚１２Ａ，１２Ｂは、タンク４の直下に配置され、高さ調節可能に構成されている。すなわち、脚１２Ａ，１２Ｂは、いずれも補強板１１に止着されて先端が底板８の穴８ａより下方に垂下するねじ部材１２ａと、ねじ部材１２ａに螺合する袋ナット状の高さ調整部材１２ｂとで構成されている。なお、後辺側の脚１２も高さ調節可能に構成することは好ましい。
【００１２】
タンク４は、図２乃至図５のようにタンク本体４ａと、これを囲繞するタンク本体カバー４ｂと、タンク本体４ａの上部開口をシールするパッキン４ｃと、蒸気導管９との接続孔４ｄ及びこの接続孔４ｄから下方に垂下する蒸気案内筒４ｅを有しタンク本体４ａの上部開口をパッキン４ｃを介して開閉可能に閉塞するタンク蓋４ｆと、蒸気案内筒４ｅの下端に取り付けられて下方に向かうにしたがって拡径する逆漏斗状の吐出圧緩和部材４ｇと、蒸気案内筒４ｅの上端部、つまり蒸気案内筒４ｅにおけるタンク内水面上部空間に位置する部位に取り付けられて、調理後、蒸気案内筒内が負圧になったときに、水面上部空間内の空気を蒸気案内筒内に取り込ませることで、タンク内の冷却水が内釜２へ逆流するのを防止するフラップからなる逆止弁２０とを有し、少なくともタンク本体４ａが透光性材料、例えば透明な樹脂（ＴＰＸ）で構成されているとともに、各部材が分離可能に組み付けられている。またタンク４には、図１のようにその規定量の冷却水が入っている状態で斜めに傾けて水面が排水部（ここでは、タンク本体４ａの上部開口縁部の一側縁部）にかかったときの水位となる位置に、水量調整用の目盛り１０が設けられていて、予め多めに入れた水を捨てながら斜めに付けた線、つまり目盛り１０に水位を合わせることにより、いちいちタンク４を水平にすることなく１度で水量調節することができるようになっている。
【００１３】
なお、タンク４に、図８及び図９のように排水口４ｈが設けられている場合には、規定量の冷却水が入っている状態で斜めに傾けて水面が排水口４ｈにかかったときの水位となる位置に、水量調整用の目盛り１０が設けられることは言うまでもない。
ここで、規定量の冷却水の「規定量」とは、調理終了後のタンク４内の冷却水が、タンク取り扱い時にこぼれたとしても、こぼれた冷却水により取り扱い作業者（ユーザー）が火傷をしない水温以下（例えば５５℃以下）にすることが可能な容量である。
【００１４】
蓋体７は、外蓋７ａと内蓋７ｂとで構成され、これらの間に蒸気導管９が挾持されるようになっている。そのうち内蓋７ｂには、図６及び図７のように調理中に発生する蒸気を排出するための小穴７ｃが形成され、その裏面側、つまり蒸気導管９の内釜側端に、図５のように内釜２内の蒸気圧に応じて通路を開放するパッキン２１が設けられている。また内蓋７ｂには、被加熱物の初期水温や沸騰を検知するための蓋センサ２２も設けられている。
【００１５】
蒸気導管９には、そのタンク側端に、蓋体７を閉じた際にタンク蓋４ｆの接続孔４ｄの縁に当接してこの接続部をシールするシール部材２３が取り付けられている。また蒸気導管９は、図５のようにその蒸気通路の底面が通路中間部が高く、両端つまり内釜側端とタンク側端にかけて下方に傾斜する傾斜面９ａ，９ｂに形成されていて、通路中間部がおねばに対する堰として機能するようになっている。
【００１６】
また、本体５内には、図５及び図７のように複数のＬＥＤが上下方向に並んで構成される発光部２４ａとそれに対応する受光部２４ｂで構成される水位センサ２４がタンク４に向けて設置されている。
【００１７】
このように、本実施形態の炊飯器においては、タンク４を透光性材料、例えば透明な樹脂（ＴＰＸ）で構成し、その規定量の冷却水が入っている状態で斜めに傾けて水面が排水部にかかったときの水位となる位置に、水量調整用の目盛り１０を設けたので、予め多めに入れた水を捨てながら斜めに付けた線（目盛り１０）に水位を合わせることにより、いちいちタンクを水平にすることなく１度で水量調節することができる。
【００１８】
また、タンク４を本体５の底板８上に載置するので、安定性がよく、タンク４を容易にセットできる。さらに、このタンク支持部となる底板８に金属製の補強板１１を設けたので、タンク支持部に変形や撓みがなく、水量を正確に測ることができる。
【００１９】
また、金属製の補強板１１を非磁性体で構成したので、加熱手段３（誘導加熱コイル）から発生する磁力を底部に逃がすことなく、効率よく加熱できる。
【００２０】
また、本体５に設けた複数の脚１２のうち前辺側に位置する一対の脚１２Ａ，１２Ｂをタンク４の直下に配置するとともに、高さ調節可能に構成したので、タンク支持部の変形や撓みを防止できることに加え、内釜２の内周面の対向する２ヶ所に一般に設けられている水位目盛りを目安に、脚１２Ａ，１２Ｂによる高さ（本体傾き）調節を行うことで、本体５を水準器として機能させることができ、本体５の水平面を定めることが容易となる。そして、本体５に設置されたタンク４の水量の測定精度を上げることができる。
【００２１】
実施形態２．
図１０は本発明の実施形態２に係る炊飯器のタンクの組立体を示す斜視図であり、図中、前述の実施形態１のものに相当する部分には同一符号を付してある。なお、炊飯器本体や蓋体や蒸気導管およびタンク蓋等の構成は前述の実施形態１のものと同一構成となっているため説明を省略する。
【００２２】
本実施形態の炊飯器は、タンク３０に貯留する冷却水の規定容量を、お米の計量カップ３１の整数倍に設定したものである。
【００２３】
本実施形態の炊飯器においては、冷却水をタンク３０に入れる際、お米の計量カップ３１を使用する。必要な冷却水の量はお米の計量カップ３１の整数倍に設定されており、例えば計量カップ（１８０ｍｌ）５杯であれば、冷却水の量は９００ｍｌとなる。これにより、計量のための新たな部品を用意する必要がなくなり、計量も簡単で容易になる。
【００２４】
なお、タンク３０（の本体４ａ）の容量をお米の計量カップ３１の整数倍で、かつ必要とされる容量よりも計量カップ１つあるいは複数個分大きく設定し、前述の実施形態１のように規定量の冷却水が入っている状態で斜めに傾けて水面が排水部にかかったときの水位となる位置に、水量調整用の目盛りを設けてもよい。
【００２５】
実施形態３．
図１１は本発明の実施形態３に係る炊飯器のタンクを示す分解斜視図である。なお、炊飯器本体や蓋体や蒸気導管およびタンク蓋等の構成は前述の実施形態１のものと同一構成となっているため説明を省略する。
【００２６】
本実施形態の炊飯器は、タンク４０を、規定の容量を有する第１のタンクすなわち内タンク４０ａと、内タンク４０ａをすっぽり収納可能な第２のタンクすなわち外タンク４０ｂとで構成したものである。
【００２７】
本実施形態の炊飯器において、冷却水をタンク４０に入れるには、まず内タンク４０ａ内にすり切りいっぱいの水を入れる。次いで、水を入れた内タンク４０ａを外タンク４０ｂ内にそのままセットする。
【００２８】
本実施形態の炊飯器においては、内タンク４０ａ内にすり切りいっぱいの水を入れれば、規定量の冷却水となる。このため、目盛りを気にすることなく、規定量の冷却水をタンクに入れることができる。これにより、冷却水を計量する際の煩わしさが解消され、かつ簡単に冷却水をセットすることができる。
【００２９】
なお、外タンク４０ｂの容量を内タンク４０ａよりも高さ方向に若干大きく取り、前述の実施形態１のように規定量の冷却水が入っている状態で斜めに傾けて外タンク４０ｂ内の水面が排水部にかかったときの水位となる位置に、水量調整用の目盛りを設けてもよい。
【００３０】
実施形態４．
図１２は本発明の実施形態４に係る炊飯器のタンクを示す縦断面図、図１３はそのタンクの水量調整用の目盛り表示部を説明するための正面図であり、各図中、前述の実施形態１のものと同一部分には同一符号を付してある。なお、炊飯器本体や蓋体および蒸気導管等の構成は前述の実施形態１のものと同一構成となっており、説明にあたっては図２、図５乃至図７を参照するものとする。
【００３１】
本実施形態の炊飯器は、タンク４の上部開口を覆うタンク蓋４ｆに、冷却水の注ぎ穴４ｉを形成するとともに、注ぎ穴４ｉを注ぎ穴蓋５０によって開閉自在に閉塞できるようにしている。また、タンク本体４ａには、これを本体５の底板８、つまり非磁性体金属で構成された補強板１１上に載置した水平状態下で、水位を検知するための目盛り１０ａが設けられているとともに、タンク本体カバー４ｂの目盛り１０ａに対応する位置に窓４ｊが形成されており、これによって目盛り１０ａを正面より視認できるようになっている。このため、タンク本体カバー４ｂを不透光性材料で構成することもでき、材料選択の幅が広がる。
【００３２】
本実施形態の炊飯器においては、注ぎ穴蓋５０を外すことで、やかん等を使用して注ぎ穴４ｉよりタンク４内に水を注ぐことができる。また、窓４ｊを通して正面より目盛り１０ａを視認できる。このため、本体５にタンク４をセットしたままの状態で、規定水量を調節することができる。
【００３３】
なお、ここで説明した注ぎ穴４ｉを有するタンク蓋４ｆを前述の実施形態１〜３にも適用できることは言うまでもない。
【図面の簡単な説明】
【００３４】
【図１】本発明の実施形態１に係る炊飯器のタンクに設けられた水量調整用の目盛りを説明するために当該タンクを傾けた状態で示す正面図である。
【図２】本発明の実施形態１に係る炊飯器のタンクの分解斜視図である。
【図３】本発明の実施形態１に係る炊飯器のタンクの組立体を示す斜視図である。
【図４】本発明の実施形態１に係る炊飯器のタンクの縦断面図である。
【図５】本発明の実施形態１に係る炊飯器の全体構成を示す縦断面図である。
【図６】本発明の実施形態１に係る炊飯器の蓋体を開けた状態を示す斜視図である。
【図７】本発明の実施形態１に係る炊飯器の蓋体を開けさらにタンクを取り外した状態を示す分解斜視図である。
【図８】本発明の実施形態１に係る炊飯器のタンクの他の例を示す斜視図である。
【図９】図８のタンクの水量調整用の目盛りを説明するために当該タンクを傾けた状態で示す正面図である。
【図１０】本発明の実施形態２に係る炊飯器のタンクの組立体を示す斜視図である。
【図１１】本発明の実施形態３に係る炊飯器のタンクを示す分解斜視図である。
【図１２】本発明の実施形態４に係る炊飯器のタンクを示す縦断面図である。
【図１３】本発明の実施形態４に係る炊飯器のタンクの水量調整用の目盛り表示部を説明するための正面図である。
【符号の説明】
【００３５】
１  炊飯器、２  内釜、３  加熱手段、４，３０，４０  タンク、４ｆ  タンク蓋、４ｉ  冷却水の注ぎ穴、５  本体、６  ヒンジ、７  蓋体、９  蒸気導管、１０  水量調整用の目盛り、１０ａ  水位検知用の目盛り、１１  非磁性体金属で構成された補強板、１２，１２Ａ，１２Ｂ  脚、１２ａ  ねじ部材（高さ調節手段）、１２ｂ  高さ調整部材（高さ調節手段）、３１  お米の計量カップ、４０ａ  内タンク（第１のタンク）、４０ｂ  外タンク（第２のタンク）。
【図１】
2010035992.tif 000003
【図２】
2010035992.tif 000004
【図３】
2010035992.tif 000005
【図４】
2010035992.tif 000006
【図５】
2010035992.tif 000007
【図６】
2010035992.tif 000008
【図７】
2010035992.tif 000009
【図８】
2010035992.tif 000010
【図９】
2010035992.tif 000011
【図１０】
2010035992.tif 000012
【図１１】
2010035992.tif 000013
【図１２】
2010035992.tif 000014
【図１３】
2010035992.tif 000015